(57)【要約】【課題】容易にかつ精度よく電極を配置することができる脳波計を提供する。【解決手段】脳波計１０は、頭部に装着されたときに頭頂側から左右の耳介に向けて延びるような帯状の本体フレーム２０と、本体フレーム２０の長手方向に対して移動可能な脳波電極３５と、本体フレーム２０に設けられ、頭頂に対する脳波電極３５の位置を決めるための耳珠の位置が目視可能に構成された測定部５２とを備えている。測定部５２には、耳珠の位置を測定するための第一の目盛５５が形成され、本体フレーム２０には、脳波電極３５の位置決めのための第二の目盛２１が貼り付けられている。【選択図】図５
2016220770.tif 000002
【特許請求の範囲】
【請求項１】
頭頂に位置を合わせて頭部に装着可能な脳波計であって、
前記頭部に装着されたときに前記頭頂側から左右の耳介に向けて延びるような帯状の本体フレームと、
前記本体フレームの長手方向に対して移動可能な電極と、
前記本体フレームに設けられ、前記頭頂に対する前記電極の位置を決めるための基準となる位置である基準位置が目視可能に構成された基準位置測定部と
を備え、
前記基準位置測定部は、前記基準位置を測定するための第一の位置表示部を有し、
前記本体フレームは、前記頭頂に対する前記電極の位置決めのための第二の位置表示部を有する
脳波計。
【請求項２】
前記第一の位置表示部および前記第二の位置表示部は互いに対応関係を有する
請求項１に記載の脳波計。
【請求項３】
前記本体フレームを前記頭部に固定するための押え部をさらに備える
請求項１または２に記載の脳波計。
【請求項４】
前記押え部は、前記頭部と接触するための接触部と、前記本体フレームの長手方向の端部に設けられ、前記本体フレームの前記長手方向において前記本体フレームの端部からの前記接触部の突出距離を調整可能とする調整部とを有する
請求項３に記載の脳波計。
【請求項５】
前記基準位置測定部は、前記本体フレームに対して着脱可能に取り付けられる
請求項１〜４のいずれか一項に記載の脳波計。
【請求項６】
前記電極が検出した電気信号を増幅して脳波信号とする回路部をさらに備え、
前記回路部は、前記本体フレームに設けられる
請求項１〜５のいずれか一項に記載の脳波計。
【請求項７】
前記基準位置は、耳珠の位置であり、
前記頭頂は、国際１０−２０法の正中中心部Ｃｚである
請求項１〜６のいずれか一項に記載の脳波計。
【発明の詳細な説明】
【技術分野】
【０００１】
本発明は脳波計に関する。
【背景技術】
【０００２】
脳活動を測定する装置として脳波計が知られている。脳波計は、頭皮上に配置された電極が脳活動にともなう電位の変化を計測することにより、脳活動を非侵襲に計測する。なお、脳波計の電極の配置方法は、国際１０−２０法による電極の配置が標準的である。
【０００３】
国際１０−２０法による電極の配置は次のように決められる。まず、図１８（ａ）に示されるように、鼻根から頭頂を経由して後頭結節に至る頭部表面の第一距離Ｄ１と、図１８（ｂ）に示されるように、左の耳介前点から頭頂を経由して右の耳介前点に至る頭部表面の第二距離Ｄ２（耳珠間頭頂弧長）とが測定される。次に、第一距離Ｄ１の中点および第二距離Ｄ２の中点から正中中心部Ｃｚが決められる。次に、鼻根から後頭結節との間、および、左右の耳介前点の間のそれぞれの全体を「１００％」として、図１８（ａ）〜（ｃ）に示されるように、所定の割合に分割した位置が電極の配置位置として決められる。
【０００４】
しかし、国際１０−２０法は、第一距離Ｄ１および第二距離Ｄ２を測定し、測定された第一距離Ｄ１および第二距離Ｄ２に基づいて電極の配置位置を演算したうえで配置位置に電極を配置する方法であるため、頭部への電極を配置する作業が煩雑である。
【０００５】
そこで、特許文献１の電極位置決め装置は、頭部の既定の位置である中心部Ｃ３，Ｃ４に電極を位置決めするための位置決め部材を備える。これにより、電極位置決め部装置が頭部に装着されたとき、位置決め部材により電極が頭部の中心部Ｃ３，Ｃ４に配置される。このため、頭部への電極を配置する作業が簡略化される。
【先行技術文献】
【特許文献】
【０００６】
【特許文献１】特表２０１３−５０９９０６号公報
【発明の概要】
【発明が解決しようとする課題】
【０００７】
特許文献１の電極位置決め装置の電極は、中心部Ｃ３，Ｃ４またはそれにおおよそ近い位置に配置される。しかし、電極の配置精度の点においてさらなる改善の余地がある。
本発明の目的は、容易にかつ精度よく電極を配置することができる脳波計を提供することである。
【課題を解決するための手段】
【０００８】
本発明に従う脳波計の一形態は、頭頂部に位置を合わせて頭部に装着可能な脳波計であって、前記頭部に装着されたときに前記頭頂側から左右の耳介に向けて延びるような帯状の本体フレームと、前記本体フレームの長手方向に対して移動可能な電極と、前記本体フレームに設けられ、前記頭頂に対する前記電極の位置を決めるための基準となる位置である基準位置が目視可能に構成された基準位置測定部とを備え、前記基準位置測定部は、前記基準位置を測定するための第一の位置表示部を有し、前記本体フレームは、前記頭頂に対する前記電極の位置決めのための第二の位置表示部を有する。
【発明の効果】
【０００９】
上記脳波計は、容易にかつ精度よく電極を配置することができる。
【図面の簡単な説明】
【００１０】
【図１】一実施形態の脳波計を含むリハビリテーションシステムの構成を示す構成図。
【図２】脳波計の分解斜視図。
【図３】図２の脳波計の正面図。
【図４】図２の脳波計の平面図。
【図５】図２の脳波計の一部の側面図。
【図６】模式化された脳波計の正面図。
【図７】脳波計の装着方法の手順を示すフローチャート。
【図８】使用者の頭部の側面図。
【図９】脳波計が使用者に装着された状態の平面図。
【図１０】脳波計が使用者に装着された状態の正面図。
【図１１】（ａ）電極部の正面図、（ｂ）電極部の側面図。
【図１２】脳波計の基準位置測定部と耳介との関係を示す基準位置測定部の正面図。
【図１３】脳波計の一部の側面図。
【図１４】脳波計が使用者に装着された状態かつ基準位置測定部が取り外された状態の正面図。
【図１５】変形例の脳波計の一部の側面図。
【図１６】別の変形例の脳波計の一部の側面図。
【図１７】さらに別の変形例の脳波計における基準位置測定部の正面図。
【図１８】（ａ）電極が配置された頭部の側面図、（ｂ）電極が配置された頭部の正面図、（ｃ）電極が配置された頭部の平面図。
【発明を実施するための形態】
【００１１】
以下、運動療法によるリハビリテーションの際に、脳波解析に基づいて、随意運動を補助するために用いられるリハビリテーションシステムについて説明する。
図１に示されるように、リハビリテーションシステム１は、脳波計１０、提示装置８０、および、電動装具９０を備えている。以下、図１を用いてリハビリテーションシステム１の各構成の動作について説明する。
【００１２】
脳波計１０は、使用者である患者の頭に装着するヘッドホン形状を有する。脳波計１０は、例えば、患者の右半身の随意運動を支配する左運動野の脳波、および、患者の左半身の随意運動を支配する右運動野の脳波を検出する。脳波計１０は、検出した脳波を増幅して脳波信号として生成し、例えば無線により脳波信号を提示装置８０に出力する。
【００１３】
提示装置８０は、スピーカー８１、画像表示部８２、操作部８３、および、制御装置８４を備えている。スピーカー８１は、制御装置８４から入力される音響信号に基づいて、患者に音または音声を提示する。画像表示部８２は、制御装置８４から与えられる制御信号に基づいて、患者に視覚情報を提示する。患者に提示される情報は、患者がどのようなイメージをすれば良いかの指示に関する指示情報と、患者が指示通りにイメージできているかのフィードバック情報とを含む。
【００１４】
操作部８３は、例えば、マウスやタッチパネル等として構成される。リハビリテーションの補助者、例えば作業療法士は、操作部８３を介して患者に関する各種情報を制御装置８４に登録したり、制御装置８４に対する訓練の開始や停止の指示を入力したりする。操作部８３がタッチパネルとして構成される場合には、画像表示部８２に一体化することもできる。
【００１５】
電動装具９０は、患者の指および腕に装着される装具９１、電動モーター９２、および、筋刺激電極９３を備えている。電動モーター９２は、装具９１の肘付近に取り付けられている。電動モーター９２の出力軸と装具９１の指乗せ部分とは、図示しないワイヤーにより接続されている。このため、電動モーター９２が回転することにより、指乗せ部分がワイヤーにより引っ張られるため、患者の指が他動的に運動させられる。
【００１６】
筋刺激電極９３は、患者の前腕部に筋刺激を与えるための電極である。筋刺激電極９３は、例えばＥＲＤ検出のタイミングに基づいて制御される制御装置８４による電極９３間の電流制御によって患者の前腕部に電気的な刺激を与える。この電気的な刺激が患者の前腕部の筋刺激となる。筋刺激および電動モーター９２の制御にともなう他動的な運動は、患者の体性感覚へのフィードバックとなる。
【００１７】
リハビリテーションの訓練は、操作部８３からの開始指示によって開始される。リハビリテーションの補助者もしくは患者自身の操作により操作部８３から開始指示が制御装置８４に入力され、一連の訓練のプロセスが実行される。
【００１８】
訓練のプロセスは、一例として、リラックスして特定の思考を想起しないことが求められる安定期間と、運動意図を表出することが求められる運動イメージ期間とを交互に繰り返す。患者は、運動イメージ期間において、例えば掴んだペグＰＧを離す動作を繰り返す。制御装置８４は、訓練のプロセスが実行されるとき、安定期間のときには「リラックスしてください」等のメッセージ、および、運動イメージ期間のときには「イメージしてください」等のメッセージを画像表示部８２に表示させる。また制御装置８４は、安静期間の開始時および運動イメージ期間の開始時にスピーカー８１に報知音を提示させる。患者は、スピーカー８１からの報知音、および、画像表示部８２の表示内容の少なくとも一方から安定期間から運動イメージ期間に移行した旨を認識し、運動意図の表出を行う。
【００１９】
次に、図２〜図６を参照して、脳波計１０の詳細な構成について説明する。なお、以下の説明において、脳波計１０の正面視における脳波計１０の幅方向Ｘを「幅方向Ｘ」とし、前後方向Ｙを「前後方向Ｙ」とする。また幅方向Ｘおよび前後方向Ｙに直交する方向を「高さ方向Ｚ」とする。
【００２０】
図２に示されるように、脳波計１０は、正面視において半円形状となる帯状の本体フレーム２０と、本体フレーム２０に取り付けられる電極部として、２つの電極部３０Ｒ，３０Ｌおよびリファレンス電極７０とを備えている。また、脳波計１０は、電極部３０Ｒ，３０Ｌの電位とリファレンス電極７０の基準電位との電位差を脳波信号として生成し、図１の提示装置８０に脳波信号を出力する本体部４０を備えている。
【００２１】
電極部３０Ｒ，３０Ｌは、患者が脳波計１０を頭部に装着したときに、患者の運動意図に関連する脳波を測定しやすい位置に配置されている。具体的には、電極部３０Ｒ，３０Ｌは、例えば、患者の右半身の随意運動を支配する左運動野、および、患者の左半身の随意運動を支配する右運動野のそれぞれと対応できる位置に配置することが好ましい。左運動野および右運動野のそれぞれと対応できる電極の位置の一例として、国際１０−２０法では、頭部の中心部Ｃ４，Ｃ３の位置を挙げることができる。電極部３０Ｒ，３０Ｌの配置を左運動野および右運動野のそれぞれと対応させることにより、同一のリハビリテーションシステム１を左半身の麻痺を有する患者および右半身の麻痺を有する患者の両方に用いることができる。なお、軽量化、簡易装着等の観点から、片側の運動野のみに電極を装着したヘッドセットを用いてもよい。
【００２２】
本体フレーム２０は、患者の頭部に装着されたとき、頭頂から左右の耳介のそれぞれに向けて延びる。本体フレーム２０の長手方向の中央部には、本体部４０が取り付けられている。本体部４０に対する本体フレーム２０の長手方向の一方側には電極部３０Ｒが本体フレーム２０の長手方向に移動可能に取り付けられ、他方側には電極部３０Ｌが本体フレーム２０の長手方向に移動可能に取り付けられている。
【００２３】
本体フレーム２０の長手方向の一方側の端部には、リファレンス電極７０が取り付けられている。なお、リファレンス電極７０は、本体フレーム２０の長手方向の他方側の端部に取り付けられてもよいし、本体フレーム２０の長手方向の両端部に取り付けられてもよい。リファレンス電極７０が本体フレーム２０の長手方向の両端部に取り付けられた場合、各リファレンス電極７０の電位の平均を基準電位としてもよい。
【００２４】
本体部４０、電極部３０Ｒ，３０Ｌ、および、リファレンス電極７０は、図示されていないリード線により電気的に接続されている。リード線は、本体フレーム２０内に収容されている。
【００２５】
電極部３０Ｒ，３０Ｌは、本体フレーム２０に対して移動可能に取り付けられる取付部３１を備えている。取付部３１は、前後方向Ｙにおいて本体フレーム２０を跨ぐように本体フレーム２０に取り付けられている。取付部３１において本体フレーム２０よりも前方の部分には、本体フレーム２０に対して取付部３１が移動可能な状態と、本体フレーム２０に対して取付部３１が移動不能な状態とに切り替える調整つまみ３２が設けられている。取付部３１において本体フレーム２０よりも後方の部分には、本体フレーム２０の長手方向が長手方向となる楕円筒状の第一ケース３３が取り付けられている。第一ケース３３には、第二ケース３４が第一ケース３３に対して移動可能に嵌め合わせられている。
【００２６】
図３に示されるように、第一ケース３３には、一対の脳波電極３５が挿入されている。一対の脳波電極３５は、例えば銀塩化銀電極であり、第一ケース３３に対して第二ケース３４と一体的に移動可能である。一対の脳波電極３５は、第一ケース３３の長手方向に並べて配置されている。一対の脳波電極３５のうちの本体フレーム２０の長手方向の中央側の脳波電極３５は中心部Ｃ３，Ｃ４の脳波を検出するためのものである。一対の脳波電極３５のうちの本体フレーム２０の長手方向の端部側の脳波電極３５は、図１４に示される中心部Ｃ３，Ｃ４の周囲Ｃ３Ｌ，Ｃ４Ｌの脳波を検出するためのものである。
【００２７】
また第一ケース３３と第二ケース３４とにより形成された内部空間には、図示されていないばねが収容されている。ばねの一端は第一ケース３３に取り付けられ、他端は第二ケース３４に取り付けられている。
【００２８】
図２に示されるように、本体部４０は、本体フレーム２０に取り付けられるケース４１を備えている。ケース４１の内部には、脳波信号を生成し、図１に示される提示装置８０に出力する回路部４２と、回路部４２に電力を供給する電源部４３とが収容されている。電源部４３の一例は電池である。回路部４２は、電極部３０Ｒの脳波電極３５が測定した電位とリファレンス電極７０の基準電位との電位差、および、電極部３０Ｌの脳波電極３５が測定した電位とリファレンス電極７０の基準電位との電位差のそれぞれを増幅する差動増幅回路を有する。また回路部４２は、提示装置８０に脳波信号を無線で送信する通信回路を有する。
【００２９】
図４に示されるように、ケース４１には、脳波計１０が頭部に装着されたときに図９に示される正中中心部Ｃｚを確認するための開口部４１Ａが形成されている。開口部４１Ａは、本体フレーム２０の長手方向の中央に形成される。前後方向Ｙにおける開口部４１Ａの位置は、電極部３０Ｒ，３０Ｌの位置と同じである。
【００３０】
図２に示されるように、脳波計１０は、正中中心部Ｃｚに対する耳珠の位置を測定するための耳珠位置測定部５０、および、頭部に対する本体フレーム２０の位置ずれを抑制するための押え部６０を備えている。なお、耳珠の位置は、正中中心部Ｃｚに対する脳波電極３５の位置を決めるための基準となる位置である基準位置の一例である。
【００３１】
耳珠位置測定部５０および押え部６０は、本体フレーム２０の長手方向の両端部に取り付けられる。耳珠位置測定部５０は本体フレーム２０の外側に取り付けられ、押え部６０は本体フレーム２０の内側に取り付けられている。
【００３２】
耳珠位置測定部５０は、本体フレーム２０の長手方向の端部に固定される固定部５１を備えている。固定部５１は、本体フレーム２０から後方に延びている。固定部５１には、耳珠の位置を測定するための基準位置測定部の一例である測定部５２が固定部５１に対して着脱可能に取り付けられている。測定部５２は、固定部５１に対して幅方向Ｘに挿入される。
【００３３】
測定部５２は、固定部５１に挿入される部分である取付部５３と、取付部５３に対して高さ方向Ｚに延びるカバー部５４とを備えている。
取付部５３の前後方向Ｙの両端部には、両端部から前後方向Ｙに延びる突起５３Ａが形成されている。取付部５３が固定部５１に挿入されるとき、突起５３Ａが固定部５１と前後方向Ｙおよび高さ方向Ｚに接触することにより固定部５１に対する測定部５２の前後方向Ｙおよび高さ方向Ｚへの移動が制限される。
【００３４】
測定部５２において固定部５１と高さ方向Ｚに対向する部分には、２本の溝５３Ｂが前後方向Ｙに沿って延びている。２本の溝５３Ｂは、幅方向Ｘに間隔を置いて形成されている。
【００３５】
固定部５１において取付部５３と高さ方向Ｚに対向する部分には、図示はされていないが、溝５３Ｂに嵌め合わせられる一対の突起が設けられている。一対の突起は、固定部５１の前後方向Ｙの両端部に形成されている。測定部５２が固定部５１に取り付けられたとき、一対の突起が溝５３Ｂの一方に嵌め合わせられることにより固定部５１に対して測定部５２が保持される。
【００３６】
カバー部５４は、無色透明な板状の部材である。カバー部５４の先端部は高さ方向Ｚにおいて湾曲突状に形成されている。カバー部５４の前後方向Ｙの寸法は耳介の標準的な前後方向Ｙの寸法よりも大きいことが好ましく、カバー部５４の高さ方向Ｚの寸法は耳介の標準的な高さ方向Ｚの寸法よりも大きいことが好ましい。
【００３７】
押え部６０は、頭部のこめかみに接触するための接触部６１と、本体フレーム２０の長手方向において本体フレーム２０からの接触部６１の突出距離を調整可能とする調整部６２とを備えている。
【００３８】
接触部６１は、前後方向Ｙに延び、こめかみに接触可能なクッション６１Ａと、前後方向Ｙに延び、クッション６１Ａを保持する保持部６１Ｂとを備えている。保持部６１Ｂの前後方向Ｙの両端部には、滑り止め部６１Ｃが形成されている。滑り止め部６１Ｃは、前後方向Ｙに突出する３本の突部からなり、接触部６１の位置調整のために作業療法士または患者が接触部６１を把持したときの指が滑ることを抑制する。
【００３９】
図３に示されるように、調整部６２は、本体フレーム２０との間で収容空間を形成する収容ケース６２Ａと、接触部６１の保持部６１Ｂに固定され、収容ケース６２Ａの収容空間に挿入される板部材６２Ｂとを備えている。収容ケース６２Ａは、本体フレーム２０の長手方向に沿って延びている。収容ケース６２Ａには、図示はされていないが、本体フレーム２０の長手方向に間隔を置いて並んだ複数の凹部が形成されている。板部材６２Ｂの先端部には、図示はされていないが、凹部に嵌まり込む湾曲凸部が形成されている。板部材６２Ｂの湾曲凸部が収容ケース６２Ａの凹部に嵌まり込むことにより、収容ケース６２Ａから板部材６２Ｂの脱落、すなわち接触部６１の脱落が抑制される。また、接触部６１が長手方向に引っ張られると、板部材６２Ｂの湾曲凸部が凹部を乗り上げることにより接触部６１および板部材６２Ｂが一体に収容ケース６２Ａに対して移動する。
【００４０】
次に、図５および図６を参照して、電極部３０Ｌの位置決め構造について説明する。なお、電極部３０Ｒの位置決め構造についても同様である。
図５に示されるように、耳珠位置測定部５０のカバー部５４には、耳珠の位置を測定するための第一の位置表示部の一例である第一の目盛５５が形成されている。第一の目盛５５は、カバー部５４において前後方向Ｙに延びる、例えば５本の線５５Ａからなり、例えばカバー部５４と一体に成型されている。図５に示されるとおり、第一の目盛５５を構成する線５５Ａは、カバー部５４の前後方向Ｙの全体にわたり延びている。なお、線５５Ａは、耳珠の位置を目盛で読み取ることが可能であれば、カバー部５４の前後方向Ｙの一部のみに形成されてもよい。
【００４１】
５本の線５５Ａの前端部には、「１」〜「５」の数字が付されている。脳波計１０が患者に装着された状態において、カバー部５４において最も下側の線５５Ａの上側に隣り合うように「５」が付されている。残りの４本の線５５Ａは、カバー部５４の下側から上側に向かうにつれて、「４」、「３」、「２」、「１」が各線５５Ａに対して上側に隣り合うように付されている。なお、数字は付されていなくてもよい。また数字は、線５５Ａの上側に隣り合うように付されていなくてもよく、例えば線５５Ａと線５５Ａとの間の空間に対して付されてもよい。
【００４２】
本体フレーム２０には、正中中心部Ｃｚに対する電極部３０Ｌの位置を決めるための第二の位置表示部の一例である第二の目盛２１が設けられている。第二の目盛２１は、本体フレーム２０において前後方向Ｙに延びる５本の線２１Ａからなる。第二の目盛２１は、例えば５本の線２１Ａが印刷された印刷物が本体フレーム２０に貼り付けられることにより構成されている。
【００４３】
５本の線２１Ａの前端部には、例えば「１」〜「５」の数字が付されている。脳波計１０が患者に装着された状態において、本体フレーム２０において最も下側の線５５Ａに対して下側に隣り合うように「５」が付されている。残りの４本の線２１Ａは、本体フレーム２０の長手方向において下側から上側に向かうにつれて、「４」、「３」、「２」、「１」が各線２１Ａに対して下側に隣り合うように付されている。なお、数字は付されていなくてもよい。また数字は、線２１Ａの下側に隣り合うように付されていなくてもよく、例えば線２１Ａと線２１Ａとの間の空間に対して付されてもよい。
【００４４】
第一の目盛５５および電極部３０Ｌの第二の目盛２１は、次のように決められる。なお、電極部３０Ｒの第二の目盛２１も同様に決められる。
なお、以下の説明において、図６に示されるように、本体フレーム２０の半径を「Ｒｈ」とする。また、左右の耳珠間の頭頂となる正中中心部Ｃｚを通る頭部の表面に沿った長さである耳珠間頭頂弧長を「Ｓ」、耳珠間頭頂弧長の最大値を「Ｓｍａｘ」、および、最小値を「Ｓｍｉｎ」とする。例えば耳珠間頭頂弧長Ｓの最大値（Ｓｍａｘ）を「４０５．０ｍｍ」とし、最小値（Ｓｍｉｎ）を「３３４．０ｍｍ」とする。また、本体フレーム２０の長手方向の端部から耳珠までの距離を「ＰＥ」とし、距離ＰＥの最大値を「ＰＥｍａｘ」とし、距離ＰＥの最小値を「ＰＥｍｉｎ」とする。また、正中中心部Ｃｚから図１４に示される中心部Ｃ３，Ｃ４に位置するための脳波電極３５までの距離を「ＰＰ」とし、距離ＰＰの最大値を「ＰＰｍａｘ」とし、距離ＰＰの最小値を「ＰＰｍｉｎ」とする。なお、耳珠間頭頂弧長Ｓは図１８における第二距離Ｄ２に相当する。
【００４５】
本体フレーム２０の半円の周長さ（πＲｈ）の１／２と、本体フレーム２０の長手方向の端部から耳珠までの距離ＰＥとを合算すると、耳珠間頭頂弧長Ｓの１／２と等しくなるため、距離ＰＥは、以下の式（１）により演算される。
ＰＥ＝１／２×Ｓ−１／２×πＲｈ    …（１）
【００４６】
このため、距離ＰＥの最大値ＰＥｍａｘおよび距離ＰＥの最小値ＰＥｍｉｎは、耳珠間頭頂弧長Ｓの最大値Ｓｍａｘおよび最小値Ｓｍｉｎを用いて以下の式（２）および（３）により演算される。
ＰＥｍａｘ＝１／２×Ｓｍａｘ−１／２×πＲｈ    …（２）
ＰＥｍｉｎ＝１／２×Ｓｍｉｎ−１／２×πＲｈ    …（３）
【００４７】
このとき、耳珠が位置する範囲ＰＥＲは、以下の式（４）により演算される。
ＰＥＲ＝ＰＥｍａｘ−ＰＥｍｉｎ    …（４）
【００４８】
そして上述のとおり、第一の目盛５５が５本の線５５Ａからなるため、隣り合う線５５Ａの間の距離である目盛幅ＰＥＤは、以下の式（５）により演算される。
ＰＥＤ＝ＰＥＲ／５    …（５）
【００４９】
例えば、本体フレーム２０の半径を「８０ｍｍ」とするとき、上記式（２）から距離ＰＥの最大値ＰＥｍａｘは「７６．８ｍｍ」となり、上記式（３）から距離ＰＥの最小値ＰＥｍｉｎは「４１．４ｍｍ」となる。そして上記式（４）および（５）から目盛幅ＰＥＤは「７．０８ｍｍ」となる。
また、国際１０−２０法では、耳珠間頭頂弧長Ｓを「１００％」としたとき、正中中心部Ｃｚから一方の耳珠までの距離は「５０％」であり、中心部Ｃ３の位置は正中中心部Ｃｚから「２０％」の位置である。このため、正中中心部Ｃｚから中心部Ｃ３に位置するための脳波電極３５までの距離ＰＰは、以下の式（６）により演算される。
ＰＰ＝２０／５０×１／２×Ｓ    …（６）
【００５０】
このため、距離ＰＰの最大値ＰＰｍａｘおよび距離ＰＰの最小値ＰＰｍｉｎは、耳珠間頭頂弧長Ｓの最大値Ｓｍａｘおよび最小値Ｓｍｉｎを用いて以下の式（７）および（８）により演算される。
ＰＰｍａｘ＝２０／５０×１／２×Ｓｍａｘ    …（７）
ＰＰｍｉｎ＝２０／５０×１／２×Ｓｍｉｎ    …（８）
【００５１】
このとき、中心部Ｃ３，Ｃ４に位置するために脳波電極３５が位置する範囲ＰＰＲは、以下の式（９）により演算される。
ＰＰＲ＝ＰＰｍａｘ−ＰＰｍｉｎ    …（９）
【００５２】
そして上述のとおり、第二の目盛２１が５本の線２１Ａからなるため、隣り合う線２１Ａの間の距離である目盛幅ＰＰＤは、以下の式（１０）により演算される。
ＰＰＤ＝ＰＰＲ／５    …（１０）
【００５３】
本体フレーム２０の半径が「８０ｍｍ」のとき、上記（７）から距離ＰＰの最大値ＰＰｍａｘは「８１．０ｍｍ」となり、距離ＰＰの最小値ＰＰｍｉｎは「６６．８ｍｍ」となる。そして上記式（９）および（１０）から目盛幅ＰＰＤは「２．８４ｍｍ」となる。
【００５４】
以上のように第一の目盛５５の目盛幅ＰＥＤと第二の目盛２１の目盛幅ＰＰＤとが決められることにより、すなわち目盛幅ＰＥＤと目盛幅ＰＰＤとの対応関係が決められることにより、第一の目盛５５と第二の目盛２１とが対応関係を有することとなる。
【００５５】
図５に示されるように、第一の目盛５５は、耳珠が位置する範囲ＰＥＲに各線５５Ａが位置するようにカバー部５４に形成されている。このため、数字「１」に対応する線５５Ａは本体フレーム２０の長手方向の端部から耳珠までの距離ＰＥの最小値ＰＥｍｉｎを示し、数字「５」に対応する線５５Ａは距離ＰＥの最大値ＰＥｍａｘを示す。
【００５６】
第二の目盛２１は、中心部Ｃ３に位置するために脳波電極３５が位置する範囲ＰＰＲに各線２１Ａが位置するように本体フレーム２０に貼り付けられている。このため、数字「１」に対応する線２１Ａは正中中心部Ｃｚから中心部Ｃ３に位置するための脳波電極３５までの距離ＰＰの最小値ＰＰｍｉｎを示し、数字「５」に対応する線２１Ａは距離ＰＰの最大値ＰＰｍａｘを示す。
【００５７】
次に、図７〜図１４を参照して、脳波計１０の装着方法について説明する。
図７に示されるように、脳波計１０の装着方法は、ステップＳ１の正中中心部測定工程、ステップＳ２の脳波計装着工程、ステップＳ３の耳珠位置測定工程、ステップＳ４の電極位置調整工程、および、ステップＳ５の測定部取り外し工程を含む。
【００５８】
図８に示されるように、ステップＳ１の正中中心部測定工程において、例えばリハビリテーションの補助者である作業療法士が患者の鼻の付け根の窪んだ部分である鼻根から後頭部の出っ張り部分である後頭結節までの距離を巻尺等により計測する。そして作業療法士は、計測距離の半分の位置を正中中心部Ｃｚとして規定する。そして作業療法士は、患者の頭部における正中中心部Ｃｚの位置にシール等のマーキングＭＫを貼り付ける。なお、マーキングＭＫは、正中中心部Ｃｚの位置を視認可能であれば、シールの貼り付け以外の方法であってもよい。
【００５９】
図９に示されるように、ステップＳ２の脳波計装着工程は、例えば作業療法士が脳波計１０を患者の頭部に装着する。このとき、作業療法士は、ケース４１の開口部４１Ａにより正中中心部ＣｚのマーキングＭＫが視認可能となるように脳波計１０を患者の頭部に装着させる。これにより、前後方向Ｙにおいて頭頂に対する電極部３０Ｒ，３０Ｌの位置が決められる。
【００６０】
そして、図１０に示されるように、例えば作業療法士は、押え部６０の接触部６１を患者のこめかみの位置となるように調整する。これにより、脳波計１０が頭部に対して移動することが抑制される。また、脳波計装着工程において、リファレンス電極７０が左の耳朶に装着される。
【００６１】
また脳波計装着工程において、脳波計１０が頭部に装着される前に、図１１（ａ）および図１１（ｂ）に示される手順により、電極部３０Ｒ，３０Ｌの一対の脳波電極３５が頭皮から離間した状態とされる。詳細には、図１１（ａ）の白抜矢印により示されるように、第二ケース３４が第一ケース３３に対して取付部３１とは反対側に移動することにともない、一対の脳波電極３５が第一ケース３３内に移動する。これにより、一対の脳波電極３５の第一ケース３３からの突出距離が小さくなる。このとき、第一ケース３３と第二ケース３４とにより形成された内部空間に収容されたばねは、第一ケース３３に対する第二ケース３４の移動にともない伸長する。このため、第二ケース３４には、ばねによる取付部３１に向けて付勢される力が加えられる。
【００６２】
そして図１１（ｂ）の白抜矢印により示されるように、第一ケース３３に対して第二ケース３４が後方に移動して第二ケース３４の開口部の端面３４Ａが第一ケース３３の端面３３Ａと接触する。これにより、ばねが第二ケース３４を取付部３１側に付勢したとしても第二ケース３４の取付部３１への移動が制限される。これにより、各脳波電極３５が頭皮に接触しない状態となる。
【００６３】
図１２に示されるように、ステップＳ３の耳珠位置測定工程において、例えば作業療法士が耳珠位置測定部５０のカバー部５４の第一の目盛５５を読み取ることにより、カバー部５４に対する耳珠の頂部の位置を取得する。一例では、耳珠の頂部の位置に対応する第一の目盛５５は「３」である。なお、第一の目盛５５は水平に読むことが好ましい。
【００６４】
図１３に示されるように、ステップＳ４の電極位置調整工程において、例えば作業療法士が電極部３０Ｌの調整つまみ３２を緩めることにより電極部３０Ｌを本体フレーム２０に対して移動可能な状態にする。そして作業療法士が電極部３０Ｌを第二の目盛２１の「３」に合わせる。
【００６５】
具体的には、作業療法士は、まず電極部３０Ｌの調整つまみ３２を操作して電極部３０Ｌを本体フレーム２０に対して移動可能な状態とする。次に、作業療法士は、本体フレーム２０の長手方向において取付部３１の本体フレーム２０の端部側の側面３１Ａが第二の目盛２１の「３」の線２１Ａと一致するように電極部３０Ｌを移動させる。次に、作業療法士は、調節つまみ３２を操作して電極部３０Ｌを本体フレーム２０に対して移動不能な状態に固定する。最後に、作業療法士は、電極部３０Ｌの第二ケース３４を第一ケース３３に嵌め合わせる。これにより、脳波電極３５が第一ケース３３から突出して頭皮に押し付けられる。そして、作業療法士は、電極部３０Ｒについても同様の手順で第二の目盛２１の「３」の線２１Ａと一致するように電極部３０Ｒを移動させる。なお、移動させる電極部３０Ｒ，３０Ｌの順番は限定されない。
【００６６】
図１４に示されるように、ステップＳ５の測定部取り外し工程において、例えば作業療法士は、耳珠位置測定部５０の固定部５１から測定部５２を取り外す。なお、測定部５２は固定部５１から必ずしも取り外す必要はない。すなわち、測定部取り外し工程は省略することもできる。
【００６７】
本実施形態の脳波計１０によれば、以下の作用および効果が得られる。
（１）脳波計１０は、第一の目盛５５を有する耳珠位置測定部５０と、第二の目盛２１を有する本体フレーム２０とを備えている。この構成によれば、第一の目盛５５に基づいて測定された耳珠の位置から第二の目盛２１に基づいて正中中心部Ｃｚに対する電極部３０Ｒ，３０Ｌの脳波電極３５の位置が決められる。このように各目盛５５，２１に基づいて電極部３０Ｒ，３０Ｌの脳波電極３５の位置決めを行うため、正中中心部Ｃｚに対する電極部３０Ｒ，３０Ｌの脳波電極３５の位置を容易にかつ精度よく調整することができる。
【００６８】
（２）第一の目盛５５および第二の目盛２１は対応関係を有する。この構成によれば、脳波計１０を使用する毎に正中中心部Ｃｚから脳波電極３５までの距離を演算する必要がない。また、第一の目盛５５による耳珠の位置の測定結果から第二の目盛２１を用いて脳波電極３５の位置を適切な位置に容易に合わせることができる。したがって、正中中心部Ｃｚに対する電極部３０Ｒ，３０Ｌの脳波電極３５の位置をより容易に調整することができる。
【００６９】
（３）脳波計１０は、頭部に装着されたときにこめかみを押えるための押え部６０を備えている。この構成によれば、押え部６０により頭部に対する本体フレーム２０の位置がずれることが抑制される。したがって、本体フレーム２０に取り付けられる脳波電極３５の位置がずれることが抑制される。
【００７０】
（４）押え部６０は、こめかみを押えるための接触部６１と、本体フレーム２０の長手方向の端部からの接触部６１の突出距離を調整可能とする調整部６２とを有する。この構成によれば、患者または作業療法士が調整部６２により本体フレーム２０に対して接触部６１を移動させてこめかみに接触部６１を合わせることができる。
【００７１】
（５）耳珠位置測定部５０は、耳珠の位置を測定する測定部５２が本体フレーム２０に固定された固定部５１に対して着脱可能である。この構成によれば、脳波計１０が患者の頭部に装着された後、測定部５２を取り外すことにより、測定部５２が患者の耳を覆わなくなる。このため、リハビリテーションの訓練中にカバー部５４が耳を覆うことにより患者に違和感を与えることが抑制される。
【００７２】
（６）本体部４０は、脳波電極３５の電位とリファレンス電極７０の電位との電位差を増幅させる回路部４２を有する。この構成によれば、本体部４０が脳波信号を精度よく取得することができる。
【００７３】
（７）本体部４０は、頭部の正中中心部Ｃｚに付されたマーキングＭＫを視認可能とする開口部４１Ａを有する。この構成によれば、頭部に対する脳波計１０の位置を適切な位置に容易に合わせることができる。
【００７４】
（８）電極部３０Ｒ，３０Ｌは、第一ケース３３に対して第二ケース３４が移動することにより脳波電極３５が頭皮に押しけられた状態と頭皮から離れた状態とを切り替える。この構成によれば、電極部３０Ｒ，３０Ｌが本体フレーム２０の長手方向に移動するとき、脳波電極３５が頭皮から離れた状態とすることができる。このため、脳波電極３５の中心部Ｃ３，Ｃ４への位置合わせが行われるときに脳波電極３５の移動がスムーズとなる。
【００７５】
上記実施形態に関する説明は、本発明に従う脳波計が取り得る形態の例示であり、その形態を制限することを意図していない。本発明に従う脳波計は、例えば以下に示される上記実施形態の変形例、および、相互に矛盾しない少なくとも２つの変形例が組み合わせられた形態を取り得る。
【００７６】
・上記実施形態において、押え部６０の調整部６２を省略してもよい。この場合、押え部６０の接触部６１は、本体フレーム２０に対して移動不能に固定される。
・上記実施形態において、押え部６０を省略してもよい。
【００７７】
・上記実施形態において、耳珠位置測定部５０の測定部５２は、例えばねじにより固定部５１に固定されてもよい。
・上記実施形態において、測定部５２と固定部５１とは着脱不能に固定されてもよい。測定部５２と固定部５１とが着脱不能の構成の場合、脳波計１０の装着方法の測定部取り外し工程が省略される。
【００７８】
・上記実施形態において、脳波電極３５は脳活動による電位の変化を検出することが可能であれば、銀塩化銀電極以外の電極であってもよい。
・上記実施形態において、第一の目盛５５の線５５Ａの本数および第二の目盛２１の線２１Ａの本数は、２本〜４本のいずれか、または、６本以上であってもよい。
【００７９】
・上記実施形態において、第一の目盛５５は、線５５Ａを印刷した印刷物をカバー部５４に貼り付けることにより構成されてもよい。この場合、印刷物は、線５５Ａ以外の部分が無色透明であることが好ましいが、カバー部５４において耳珠が視認可能な領域以外の部分に印刷物が貼り付けられる場合には印刷物は無色透明以外の色であってもよい。なお、耳珠が視認可能な領域以外の部分は、例えばカバー部５４の前端部が挙げられる。
【００８０】
・上記実施形態において、本体フレーム２０の端部から高さ方向Ｚに本体フレーム２０をさらに延長することにより、測定部５２を形成してもよい。すなわち、本体フレーム２０と測定部５２とを一体的に形成してもよい。
【００８１】
・上記実施形態において、耳珠位置測定部５０の第一の位置表示部は、第一の目盛５５に代えて、図１５に示されるようなスケール５５Ｂであってもよい。スケール５５Ｂは、本体フレーム２０の長手方向の端部から高さ方向Ｚに延びる距離を測定可能となるように形成される。
【００８２】
・上記実施形態において、本体フレーム２０の第二の位置表示部は、第二の目盛２１に代えて、図１５に示されるようなスケール２１Ｂであってもよい。スケール２１Ｂは、正中中心部Ｃｚから本体フレーム２０の長手方向に沿った距離を測定可能となるように形成される。
【００８３】
・上記実施形態において、耳珠位置測定部５０の第一の位置表示部は、第一の目盛５５の数字に代えて、図１６に示されるように、線５５Ａの間の領域を互いに異なる色にしてもよい。線５５Ａの間の領域のそれぞれは、カバー部５４の基端側から先端側にかけて、「１」に相当する紫色、「２」に相当する黄色、「３」に相当する赤色、「４」に相当する青色、および、「５」に相当する緑色となる。なお、線５５Ａの間の領域の色は、図１６に示される色に限られず、他の色であってもよい。また、耳珠の位置を測定するための目盛を、線５５Ａに代えて、隣り合う色の境界線としてもよい。すなわち図１６の第一の目盛５５において線５５Ａを省略してもよい。
【００８４】
さらに、本体フレーム２０の第二の位置表示部は、第二の目盛２１に代えて、図１６に示されるように、線２１Ａの間の領域を互いに異なる色にしてもよい。線２１Ａの間の領域のそれぞれは、本体フレーム２０の長手方向の中央側から端部側にかけて、「１」に相当する紫色、「２」に相当する黄色、「３」に相当する赤色、「４」に相当する青色、および、「５」に相当する緑色となる。なお、線２１Ａの間の領域の色は、図１６に示される色に限られず、他の色であってもよい。また、脳波電極３５の位置を決めるための目盛を、線２１Ａに代えて、隣り合う色の境界線としてもよい。すなわち図１６の第二の目盛２１において線２１Ａを省略してもよい。
【００８５】
図１６の脳波計１０において、例えば作業療法士は、第二の目盛２１の色が測定部５２の第一の目盛５５により測定された耳珠の位置に対応する色と同じ色となるように電極部３０Ｒ，３０Ｌの位置を調整する。
【００８６】
・上記実施形態において、第一の目盛５５の数字および第二の目盛２１の数字に代えて、丸形、三角形、四角形等の図柄としてもよい。例えば作業療法士は、第二の目盛２１の図柄が第一の目盛５５において耳珠の位置に対応する図柄と同じ図柄となるように電極部３０Ｒ，３０Ｌの位置を調整する。
【００８７】
・上記実施形態において、カバー部５４は、無色透明に限られず、耳介が視認可能であれば半透明で構成されてもよい。
・上記実施形態において、耳珠位置測定部５０の測定部５２は、図１７に示されるように、耳珠が目視可能となる開口部５６がカバー部５４に形成されてもよい。カバー部５４において開口部５６よりも前方の部分には、第一の目盛５５が形成されている。開口部５６が形成されたカバー部５４は、無色透明でなくてもよく、透光性のない色により形成されてもよい。
【００８８】
・上記実施形態において、頭部に対する脳波電極３５の位置は、中心部Ｃ３，Ｃ４以外の位置であってもよい。要するに、リハビリテーションシステム１の訓練の目的に応じて脳波電極３５の位置を変更することができる。
【符号の説明】
【００８９】
１０  ：脳波計
２０  ：本体フレーム
２１  ：第二の目盛（第二の位置表示部）
３５  ：脳波電極（電極）
４２  ：回路部
５２  ：測定部（基準位置測定部）
５５  ：第一の目盛（第一の位置表示部）
６０  ：押え部
６１  ：接触部
６２  ：調整部
Ｃｚ  ：正中中心部
【図１】
2016220770.tif 000003
【図２】
2016220770.tif 000004
【図３】
2016220770.tif 000005
【図４】
2016220770.tif 000006
【図５】
2016220770.tif 000007
【図６】
2016220770.tif 000008
【図７】
2016220770.tif 000009
【図８】
2016220770.tif 000010
【図９】
2016220770.tif 000011
【図１０】
2016220770.tif 000012
【図１１】
2016220770.tif 000013
【図１２】
2016220770.tif 000014
【図１３】
2016220770.tif 000015
【図１４】
2016220770.tif 000016
【図１５】
2016220770.tif 000017
【図１６】
2016220770.tif 000018
【図１７】
2016220770.tif 000019
【図１８】
2016220770.tif 000020